(57)【要約】      （修正有）【課題】塵流入防止用カバーにより、小さな塵を確実に捕捉する。【解決手段】軒樋１の排水口８を覆う塵流入防止用カバー３０であって、下面が開口し、側周面及び上面に多数の通水用開口３１を設け、該通水用開口３１の開口巾を１．５ｍｍ〜３ｍｍとする。また、側周面及び上面に通水用開口３１よりも外方に突出する塵除け用突部３２を突出し、塵除け用突部間の間隔を通水用開口の開口巾よりも大きくする。【選択図】図３
2010084441.tif 000002
【特許請求の範囲】
【請求項１】
軒樋の排水口を覆う塵流入防止用カバーであって、下面が開口し、側周面及び上面に多数の通水用開口を設け、該通水用開口の開口巾を１．５ｍｍ〜３ｍｍとして成ることを特徴とする塵流入防止用カバー。
【請求項２】
側周面及び上面に通水用開口よりも外方に突出する塵除け用突部を突出し、塵除け用突部間の間隔を通水用開口の開口巾よりも大きくして成ることを特徴とする請求項１記載の塵流入防止用カバー。
【発明の詳細な説明】
【技術分野】
【０００１】
本発明は、軒樋の排水口を覆って落ち葉やごみ等が流れるのを防止するための塵流入防止用カバーに関するものである。
【背景技術】
【０００２】
従来から軒樋の排水口を覆って落ち葉やごみ等が流れるのを防止するための塵流入防止用カバーが特許文献１等により知られている。
【０００３】
従来の塵流入防止用カバーは、全体が縦桟と横桟とが交差して構成される格子状をしており、縦桟と横桟に囲まれた部分が通水用開口となっており、軒樋から縦樋内に雨水を流すに当たり、雨水と共に流れる落ち葉のように比較的大きい塵を格子状の部分で捕捉し、通水用開口から雨水を縦樋の内部に流すようになっている。
【０００４】
そして、上記従来例にあっては、縦桟と横桟とに囲まれた部分である通水用開口の開口巾は５〜１５ｍｍ程度となっている。
【０００５】
従来例においては、通水用開口の開口巾が５〜１５ｍｍであるから、例えば広葉樹の落ち葉等の大きい塵は捕捉できるが、松葉のような細い、あるいは小さな塵（以下単に小さな塵という）は通水用開口を通過して流れる可能性があるが、小さな塵は雨水の流れに乗って縦樋内を流下するので、小さな塵で縦樋内が詰まるという恐れは少ない。
【０００６】
しかしながら、本発明者は、本発明に至る過程で、軒樋から雨水を縦樋の外周面に沿って流下させ、縦樋の外周面に沿って雨水が流下する様子を観賞できるような従来にない新しい流水観賞雨樋装置を考えたが、このように軒樋からの雨水を縦樋の外周面に沿って流下させるには、塵流入防止用カバーを通過した雨水が途中で飛散することがないように集水して縦樋の外周面側にガイドし、且つ、縦樋の外周面に略均一に流すための集水装置が必要になる。
【０００７】
ところが、この雨水の飛散を防止しながら縦樋の外周面側にガイドする集水装置は、雨水が縦樋の外周面に沿って滑らかに流れるようにするために、縦樋の外周面に雨水を流す通水部分の開口巾を小さくする必要があり、この部分は小さな塵、例えば松葉などが詰まり易くなり、小さな塵が目詰まりすると、縦樋の外周面に雨水をほぼ均一に流すことができず、縦樋の外周面に沿って滑らかに雨水が流下せず、観賞用としての機能を果たすことができないという問題があることが判明した。
【０００８】
したがって、特許文献１に示されたような従来の塵流入防止用カバー（雨水と共に流れる落ち葉のように比較的大きい塵を格子状の部分で捕捉し、通水用開口から雨水を縦樋の内部に流すようにしたもの）をそのまま、縦樋の外周面に沿って雨水を流すための観賞雨樋装置における塵流入防止用カバーとして適用するとしても以下の問題がある。
【０００９】
つまり、特許文献１に示されたような従来の塵流入防止用カバーは、通水用開口の開口巾が５〜１５ｍｍであるから、小さな塵は通水用開口を通過して流れ、前述した理由で、縦樋の外周面側に雨水をガイドして流すための集水装置が目詰まりするおそれがある。
【００１０】
また、従来例にあっては、縦桟、横桟に囲まれた部分全体が通水用開口となっているので、落ち葉などが格子に張り付くと、通水用開口そのものを閉じてしまって、この部分からは通水できなくなるという問題がある。
【特許文献１】特開２００５−３３６７４７号公報
【発明の開示】
【発明が解決しようとする課題】
【００１１】
本発明は上記の従来の問題点に鑑みて発明したものであって、小さな塵を確実に捕捉し、通水性を良好にできる塵流入防止用カバーを提供することを課題とするものである。
【課題を解決するための手段】
【００１２】
上記課題を解決するために本発明に係る塵流入防止用カバーは、軒樋１の排水口８を覆う塵流入防止用カバー３０であって、下面が開口し、側周面及び上面に多数の通水用開口３１を設け、該通水用開口３１の開口巾を１．５ｍｍ〜３ｍｍとして成ることを特徴とするものである。
【００１３】
このような構成とすることで、松葉のような小さな塵でも確実に捕捉することができ、この結果、縦樋３の外周面に沿って雨水が流下する様子を観賞できるような流水観賞雨樋装置６における塵流入防止用カバー３０として用いても、集水装置の目詰まりを抑制することが可能となる。
【００１４】
また、側周面及び上面に通水用開口３１よりも外方に突出する塵除け用突部３２を突出し、塵除け用突部３２間の間隔を通水用開口３１の開口巾よりも大きくすることが好ましい。
【００１５】
このような構成とすることで、落ち葉が塵除け用突部３２に引っ掛かっても、雨水は引っ掛かっている部分以外の部分から通水用開口３１の開口巾よりも広い塵除け用突部３２間の空間に流れ込んで、上記開口巾の狭い通水用開口３１を通って滑らかに集水装置２内に流入することができる。
【発明の効果】
【００１６】
本発明は、上記のように通水用開口の開口巾を１．５ｍｍ〜３ｍｍとしたので、小さな塵が流下しないようにでき、縦樋の外周面に沿って雨水が流下する様子を観賞できるような流水観賞雨樋装置の目詰まりを防止するための塵流入防止用カバーとして用いることができる。
【００１７】
また、側周面及び上面に通水用開口よりも外方に突出する塵除け用突部を突出し、塵除け用突部間の間隔を通水用開口の開口巾よりも大きくすることで、落ち葉の捕捉機能をもちながら通水性を良好にできる。
【発明を実施するための最良の形態】
【００１８】
以下、本発明を添付図面に示す実施形態に基いて説明する。
【００１９】
図１、図２には本発明の塵流入防止用カバー３０が示してある。塵流入防止用カバー３０は下面が開口し、側周面及び上面に多数の通水用開口３１を設けあり、更に、上面部の下面の中央から下方に向けて弾性を有する係止脚３３を突設して構成してある。
【００２０】
上記塵流入防止用カバー３０は軒樋１内において、後述の排水口８を覆うように配設されるもので、排水口８に取付ける後述の集水装置２に係止脚３３を着脱自在に取付けるようになっている。
【００２１】
塵流入防止用カバー３０に設けた通水用開口３１は、該通水用開口３１の短辺側の開口巾が１．５ｍｍ〜３ｍｍに設定してある。
【００２２】
塵流入防止用カバー３０の側周面及び上面には通水用開口３１よりも外方に突出する塵除け用突部３２が突出している。塵流入防止用カバー３０の側周面部のうち軒樋１の長手方向と交差する両側面に複数の塵除け用突部３２を突出した状態で、図２（ａ）に示すように、両側面に突設した複数の塵除け用突部３２を結んだ仮想線が円弧状となるように構成してある。また、隣接する塵除け用突部３２間の間隔は上記通水用開口３１の開口巾である１．５ｍｍ〜３ｍｍよりも広く設定してあり、塵除け用突部３２の突出先端部は面取りがしてある。
【００２３】
本発明の塵流入防止用カバー３０は、縦樋３の外周面に沿って雨水が流下する様子を観賞できるような流水観賞雨樋装置６に用いられる。
【００２４】
流水観賞雨樋装置６は、軒樋１の雨水を集める集水装置２と、筒状体よりなる縦樋３と、下方で流下水を集めて排水管４に排出させる排水装置５とで構成してある。
【００２５】
図８乃至図１２には集水装置２を構成するための各部品が示してあり、この集水装置２は、軒樋１の排水口８に取付ける本体部９と、本体部９に対して着脱自在に取付けられる着脱下部１０とを備えている。
【００２６】
本体部９は本体上部９ａと、本体下部９ｂとで構成してある。
【００２７】
本体上部９ａは図８、図９に示すように、外周部に雄ねじ部１１を有する筒部１２の上端開口部に外側方に向けて鍔部１３を設け、筒部１２の内周面から内方に突出した縦板状の複数の突片部１４の上端部を筒部１２から上方に突出させてある。また、隣合う突片部１４の間が排水通路部１６となっている。
【００２８】
複数の突片部１４の先端は、筒部１２内に縦樋支持部１５に縦樋３の上端部を嵌め込んだ際に、突片部１４の先端部が縦樋３の外面に当接して縦樋３を支持するようになっており、本実施形態においては複数の突片部１４の先端部で縦樋支持部１５が構成してある。
【００２９】
複数の突片部１４の上端部はオーバーフロー部となる中央筒部１７に一体に連設してあり、該中央筒部１７は上記のように縦樋支持部１５に縦樋３の上端部を嵌め込んで支持した際に縦樋３の上端部内に連通するようになっており、中央筒部１７の上部は下部よりも径が大きくなっている。
【００３０】
本体下部９ｂは図１０に示すように、外側筒部１８の上端部と内側筒部１９の上端部とを一体に連設すると共に外側筒部の上端外周から外側方に向けて鍔部２０を設け、内側筒部１９の内周面に雌ねじ部２１を設け、内側筒部１９の下部と外側筒部１８との間に下方が開口した嵌め込み凹所２２が形成してある。
【００３１】
着脱下部１０は図１２に示すように、内周に雌ねじ部２３を有する上筒部２４の下端部に集水ガイド部２５を設け、更に、上筒部２４の下端部から集水ガイド部２５の外方を覆うようにカバー筒部２４ａを下方に向けて突設してある。
【００３２】
集水ガイド部２５は、図１２に示すように、上筒部２４の下端から内側に向かって先端側が下と成るように傾斜した逆円錐台形状をした逆円錐台筒部２９と逆円錐台筒部２９の下端縁部の周部から先端側が下となるように傾斜した多数のくし部２６を突出して構成してあり、くし部２６間が上下及び先端側に開口したスリット２８となっており、また、多数のくし部２６の先端で囲まれる部分が縦樋３を嵌挿する縦樋嵌挿部２７となっている。
【００３３】
上記くし部２６間のスリット２８のスリット巾は１．５〜３ｍｍとなっている。
【００３４】
また、多数のくし部２６は、図１２に示すように、平面視において内側への突出長さの異なるものが混在しており、図１２の実施形態では突出長さの長いくし部２６ａと突出長さの短いくし部２６ｂとが周方向に交互に設けてある。突出長さの長いくし部２６ａは、縦樋嵌挿部２７に縦樋３を嵌挿した状態で突出長さの長いくし部２６ａの先端が縦樋３の外面に当接するか又は両者の間に１ｍｍ以下の隙間が生じるように設定してあり、また、突出長さの短いくし部２６ｂは、縦樋嵌挿部２７に縦樋３を嵌挿した状態で突出長さの短いくし部２６ｂの先端と縦樋３の外面との間に１．５〜３ｍｍの隙間が生じるように設定してある。
【００３５】
カバー筒部２６の下端はくし部２６の下端と同じ高さ又はくし部２６下端よりも下となっている。
【００３６】
ここで、くし部２６間のスリット２８のスリット巾を１．５〜３ｍｍとし、突出長さの短いくし部２６ｂの先端と縦樋３の外面との間に１．５〜３ｍｍの隙間が生じるように設定したのは、スリット２８、隙間を通して縦樋３の外周面にほぼ均一に雨水を流すことができるようにするためである。
【００３７】
つまり、スリット２８、隙間の巾が３ｍｍを超えると、スリット２８を流れる雨水がスリット２８に沿って縦樋３側に流れることなくスリット２８の上部から直接スリット２８を通過して落下して飛散したり、あるいは、縦樋３の外周面の周方向の一部を集中して雨水が流下して周方向にほぼ均一に雨水を流下させることができない。また、スリット２８、隙間の巾が１．５ｍｍに満たないと、スリット２８や隙間がつまり易く、スムーズに縦樋３の外周面に雨水を流すことができないのでスリット２８、隙間の巾が１．５ｍｍ以上確保する必要がある。
【００３８】
上記の構成の集水装置２は、軒樋１の排水口８に取付ける。
【００３９】
すなわち、排水口８に上方から本体上部９ａの筒部１２を挿入して、筒部１２を軒樋１の下方に突出させると共に鍔部１３を軒樋１の底部上面に当接する。この状態で、筒部１２の雄ねじ部１１に本体下部９ｂの内側筒部１９の雌ねじ部２１を螺合し、鍔部２０を軒樋１の底部下面に押し当て、鍔部１３、２０で軒樋１の底部を上下より挟着する。この状態で、雌ねじ部２１は雄ねじ部１１の上部に螺合される。このようにして本体上部９ａと本体下部９ｂとよりなる本体部９を軒樋１の排水口８部分に取付ける。
【００４０】
次に、着脱下部１０の上筒部２４の雌ねじ部２３を本体上部９ａの雄ねじ部１１の下部に着脱自在に螺合し、着脱下部１０の上筒部２４の上端部を本体下部９ｂの嵌め込み凹所２２に嵌め込むことで、着脱下部１０を本体部９に対して着脱自在に取付ける。
【００４１】
上記のように軒樋１の排水口８に集水装置２を取付けるのであるが、軒樋１の排水口８は更に軒樋１内において前述の本発明の塵流入防止用カバー３０で覆われるようになっている。
【００４２】
上記塵流入防止用カバー３０は軒樋１内において、集水装置２を取付けた排水口８を覆うように配設されるもので、係止脚３３を中央筒部１７に挿入して係止脚３３の下端の係止部３４を中央筒部１７の下端開口縁に着脱自在に係止することで取付ける。
【００４３】
縦樋３は上端部を集水装置２の多数のくし部２６の先端で囲まれる部分である縦樋嵌挿部２７に嵌挿し、更に縦樋支持部１５に嵌め込み、更に、最上端を嵌め込み凹所２２にはめ込んである。
【００４４】
また、排水装置５は図１３に示すようなもので、主体を構成する排水筒部３５の孔の上端部が該孔の他の部分よりも大径の大径孔部３６となり、排水筒部３５の孔の上記大径孔部３６を除いた部分の内周から内方に向けて複数の縦板状をした内向き突部３７が突設してある。複数の内向き突部３７は上記孔の周方向に一定ピッチで突設してあって内向き突部３７間が排水用隙間４９となっている。
【００４５】
この複数の内向き突部３７の上下方向の上半分は下半分よりも突出長さが短くなっており、複数の内向き突部３７の上下方向の上半分の各先端は縦樋３の外径と同じ径の仮想円上に位置していて、該複数の内向き突部３７の上下方向の上半分の各先端で囲まれた部分が縦樋３の下端部を嵌め込むための下嵌め込み部３８となっている。また、内向き突部３７の上下方向の上半分の先端の下端と下半分の先端の上端とは段部３９で連続している。
【００４６】
排水筒部３５には下方に開口する下嵌め込み用凹部４０が形成してある。
【００４７】
排水装置５の上記下嵌め込み部３８には縦樋３の下端部がはめ込まれて支持される。この場合、縦樋３の下端面が段部３９に載置される。
【００４８】
添付図面に示す実施形態では、排水筒部３５の下嵌め込み用凹部４０には筒体よりなる調整部材４１の上端部が嵌め込まれ、該調整部材４１の下端部に排水管４の上端が嵌め込まれるようになっている。
【００４９】
調整部材４１は図１乃至図３、図５に示すように、上偏芯用部材５０と、下偏芯用部材５１とで構成してあり、上偏芯用部材５０は排水筒部３５の下嵌め込み用凹部４０に回転自在に嵌め込まれる嵌め込み筒部５２の下部に嵌め込み筒部５２に対して偏芯した接続筒部５３を一体に形成したものであり、下偏芯用部材５１は接続筒部５３に回転自在に嵌め込んで接続される被接続筒部５４の下部に被接続筒部５４に対して偏芯した排水管接続筒部５５とで構成してあり、排水管接続筒部５５に排水管４の上端を嵌め込むようになっている。
【００５０】
そして、上偏芯用部材５０の嵌め込み筒部５２を縦樋３に対して回転し、接続筒部５３に対して被接続筒部５４を回転し、排水管４に対して排水管接続筒部５５を回転することで、縦樋である縦樋３と排水管４とが平面視で位置ずれしている場合でも接続することができる。
【００５１】
もちろん、調整部材４１を用いることなく下嵌め込み用凹部４０に直接排水管４の上端部を嵌め込んでもよい。
【００５２】
上記のように組み合せて構成する流水観賞雨樋装置６は、図３乃至図７に示すようなものであり、軒樋１を流れる雨水が塵流入防止用カバー３０の通水用開口３１から、集水装置２の排水通路部１６内に流入し、排水通路部１６から集水ガイド部２５に流れ込む。集水ガイド部２５に流れた雨水は一部が複数の下り傾斜したくし部２６上面に沿って縦樋３の外周面側に流れると共に一部が複数のスリット２８を伝って縦樋３の外周面側に流れ、くし部２６の先端と縦樋３の外面との間の隙間及びスリット２８の先端から縦樋３の外周面の周方向の略全周にわたって略均一に雨水が流れる。
【００５３】
このようにして縦樋３の上端部の外周面の周方向の略全周にわたって略均等に流れた雨水は、飛散することなく縦樋３の外周面の全周を薄い膜のようにして縦樋３の外周面に沿って滑らかに流下するものであり、従来の鎖樋では得られない飛散防止と、雨水が膜状になって縦樋３の外周面を流下する雨水の流下の様子を観賞できる。
【００５４】
この場合、くし部２６の先端と縦樋３の外面との間の隙間及びスリット２８の先端から縦樋３の外周面の周方向の略全周にわたって略均一に雨水が流れるとは言え、隙間及びスリット２８の先端から縦樋３に流れる雨水の微妙な変化により、図１４に示すように縦樋３の外周面を流れる雨水の膜に流紋Ａが生じ、縦樋３の外周面を膜状となって流下する雨水の流下の観賞効果を上げることができる。
【００５５】
ここで、前述のように本発明の塵流入防止用カバー３０に設けた通水用開口３１の開口巾が１．５ｍｍ〜３ｍｍに設定したのは以下の理由による。
【００５６】
すなわち、従来の塵流入防止用カバー３０は前述のように通水用開口３１の開口巾が５〜１５ｍｍ程度と大きく、広葉樹の落ち葉を避けることは可能であるが、巾あるいは径が５〜１５ｍｍ以下の塵等はそのまま流れてしまう。しかし、前述のように縦樋３の外周面に沿って流下する雨水の様子を観賞することができるようにした流水観賞雨樋装置６においては、集水装置２で集水した雨水を縦樋３の外周面の周方向にほぼ均一に流す必要があり、このため、前述のように、集水装置２のくし部２６間のスリット２８のスリット巾を１．５〜３ｍｍとし、突出長さの短いくし部２６ｂの先端と縦樋３の外面との間に１．５〜３ｍｍの隙間が生じるように設定するものであり、これに対応して、本発明の塵流入防止用カバー３０の通水用開口３１の開口巾を１．５ｍｍ〜３ｍｍに設定したのである。
【００５７】
これにより、塵流入防止用カバー３０により、上記縦樋３の外周面に雨水をほぼ均一に流下させるためのスリット２８や隙間を塞ぐ大きさの塵（例えば、落ち葉、昆虫、粉塵、その他）が集水装置２内に流込まないようにできるものであり、集水装置２のスリット２８や隙間の目詰まりを抑制することが可能となる。
【００５８】
また、前述のように、塵流入防止用カバー３０の両側面に突設した複数の塵除け用突部３２を結んだ仮想線が円弧状となるように構成してあるので、落ち葉が塵除け用突部３２の先端面に張り付くことがなく、また、落ち葉などが引っ掛かっても、雨水は引っ掛かっている部分以外の部分から通水用開口３１の開口巾よりも広い塵除け用突部３２間の空間に流れ込んで、上記開口巾の狭い通水用開口３１を通って滑らかに集水装置２内に流入することができる。
【００５９】
塵流入防止用カバー３０は、係止脚３３の下端の係止部３４と中央筒部１７の下端開口縁との係止を解除することで簡単に取り外して簡単に塵流入防止用カバー３０に引っ掛かった塵を除去することができる。ここで、係止部３４は矢尻形状をしているが、矢尻の先端部は返し部がなく、着脱を容易にしている。
【００６０】
また、塵流入防止用カバー３０が上記のように着脱自在であるため、集水装置２における中央筒部１７の形状を共通化することで、排水容量の異なる集水装置にも着脱自在に取付けることができる。
【００６１】
また、縦樋３の外周面に親水処理加工が施してあると、縦樋３の外周面に沿って流下する雨水の飛散をより防止して外周面に沿って滑らかに流下させることができる。
【００６２】
縦樋３の外周面を膜状となって流下する雨水は排水装置５の排水用隙間４５に流れ、排水管４に流れ（調整部材４１がある場合は調整部材４１を介して排水管４に流れ）、排水される。
【００６３】
軒樋１内を流れる雨水が多くなり、塵流入防止用カバー３０を通過した雨水が中央筒部１７の上端を越えると、雨水の一部は中央筒部１７の上開口から流入し、中央筒部１７から直接縦樋３の上開口内に流入して縦樋３内を通り、排水管４に流れ（調整部材４１がある場合は調整部材４１を介して排水管４に流れ）、排水される。もちろん、この場合も、前述と同様にして縦樋３の外周面に沿って流下する。
【００６４】
このようにして、軒樋１を流れる雨水を集水装置２で集水して集水装置２に上端部を嵌め込み保持した縦樋３の外周面に沿って流下させ（軒樋１を流れる雨水の量が多い場合は一部を縦樋３内を流下させ）、縦樋３の外周面に沿って流れる雨水を排水装置５を介して排水管４に排水されるので、縦樋３の外周面に沿って流下した雨水が垂れ流しにされることなく、排水管４に流され、雨水の量が多くなっても、確実に排水できるものであり、したがって、本発明の流水観賞雨樋装置６は、敷地入り口付近の門屋、玄関ポーチ等の付近はもちろん、大量の雨水を流す場所であっても支障なく用いることができる。
【００６５】
上記実施形態では、本発明の塵流入防止用カバー３０を、縦樋３の外周面に沿って雨水が流下する様子を観賞できるような流水観賞雨樋装置６に用いた例を示したが、従来のように軒樋１から縦樋３内部に雨水を流すようにするものにおいても、軒樋１の排水口８を本発明の塵流入防止用カバー３０で覆うようにしてもよい。
【図面の簡単な説明】
【００６６】
【図１】本発明の塵流入防止用カバーの斜視図である。
【図２】（ａ）は同上の平面図であり、（ｂ）は正面断面図であり、（ｃ）は側面断面図である。
【図３】本発明の塵流入防止用カバーを取付けた流水観賞雨樋装置の正面断面図である。
【図４】同上の正面図である。
【図５】同上の側面図である。
【図６】同上の平面図である。
【図７】同上の施工状態の斜視図である。
【図８】同上に用いる本体上部を示し、（ａ）は平面図であり、（ｂ）は正面断面図であり、（ｃ）は異なる位置で切断した断面図であり、（ｄ）は下面図である。
【図９】（ａ）は同上の本体上部を上方から見た斜視図であり、（ｂ）は下方から見た斜視図である。
【図１０】同上の本体下部を示し、（ａ）は平面図であり、（ｂ）は正面図であり、（ｃ）は正面断面図である。
【図１１】同上に用いる着脱下部を示し、（ａ）は平面図であり、（ｂ）は正面断面図であり、（ｃ）は下面図である。
【図１２】（ａ）は同上の着脱下部を下方から見た斜視図であり、（ｂ）は上方から見た斜視図である。
【図１３】同上に用いる排水装置を示し、（ａ）は平面図であり、（ｂ）は断面図である。
【図１４】同上の縦樋の外周面に沿って雨水が流下している際に発生する波紋を示す斜視図である。
【符号の説明】
【００６７】
１  軒樋
８  排水口
３０  塵流入防止用カバー
３１  通水用開口
３２  塵除け用突部
【図１】
2010084441.tif 000003
【図２】
2010084441.tif 000004
【図３】
2010084441.tif 000005
【図４】
2010084441.tif 000006
【図５】
2010084441.tif 000007
【図６】
2010084441.tif 000008
【図７】
2010084441.tif 000009
【図８】
2010084441.tif 000010
【図９】
2010084441.tif 000011
【図１０】
2010084441.tif 000012
【図１１】
2010084441.tif 000013
【図１２】
2010084441.tif 000014
【図１３】
2010084441.tif 000015
【図１４】
2010084441.tif 000016
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
軒樋の排水口を覆う塵流入防止用カバーであって、下面が開口し、側周面及び上面に多数の通水用開口を設け、該通水用開口の開口巾を１．５ｍｍ〜３ｍｍとし、側面部及び上面に通水用開口よりも外方に突出する塵除け用突部を突出し、塵流入防止用カバーの側周面のうち軒樋の長手方向と交差する両側面に該側面の上下方向にわたる縦向きの塵除け用突起を複数突出すると共に、該側面の上下方向の略中間に該側面の巾方向にわたる横向きの塵除け用突部を突出し、上記両側面に設けた縦向きの塵除け用突部を結んだ仮想線が円弧状となり且つ上記両側面に設けた横向きの塵除け用突部の突出先端が上記仮想線上にほぼ位置し、上面の塵除け用突部間の間隔及び側周面の縦向きの塵除け用突部間の間隔を通水用開口の開口巾よりも大きくして成ることを特徴とする塵流入防止用カバー。
【手続補正２】
【補正対象書類名】明細書
【補正対象項目名】００１２
【補正方法】変更
【補正の内容】
【００１２】
上記課題を解決するために本発明に係る塵流入防止用カバーは、軒樋１の排水口８を覆う塵流入防止用カバー３０であって、下面が開口し、側周面及び上面に多数の通水用開口３１を設け、該通水用開口３１の開口巾を１．５ｍｍ〜３ｍｍとし、側面部及び上面に通水用開口３１よりも外方に突出する塵除け用突部３２を突出し、塵流入防止用カバー３０の側周面のうち軒樋１の長手方向と交差する両側面に該側面の上下方向にわたる縦向きの塵除け用突起３２を複数突出すると共に、該側面の上下方向の略中間に該側面の巾方向にわたる横向きの塵除け用突部３２を突出し、上記両側面に設けた縦向きの塵除け用突部３２を結んだ仮想線が円弧状となり且つ上記両側面に設けた横向きの塵除け用突部３２の突出先端が上記仮想線上にほぼ位置し、上面の塵除け用突部３２間の間隔及び側周面の縦向きの塵除け用突部３２間の間隔を通水用開口３１の開口巾よりも大きくして成ることを特徴とするものである。
【手続補正３】
【補正対象書類名】明細書
【補正対象項目名】００１３
【補正方法】変更
【補正の内容】
【００１３】
このような構成とすることで、松葉のような小さな塵でも確実に捕捉することができ、この結果、縦樋３の外周面に沿って雨水が流下する様子を観賞できるような流水観賞雨樋装置６における塵流入防止用カバー３０として用いても、集水装置の目詰まりを抑制することが可能となる。また、側面部及び上面に通水用開口３１よりも外方に突出する塵除け用突部３２を突出し、塵流入防止用カバー３０の側周面のうち軒樋１の長手方向と交差する両側面に該側面の上下方向にわたる縦向きの塵除け用突起３２を複数突出すると共に、該側面の上下方向の略中間に該側面の巾方向にわたる横向きの塵除け用突部３２を突出し、上記両側面に設けた縦向きの塵除け用突部３２を結んだ仮想線が円弧状となり且つ上記両側面に設けた横向きの塵除け用突部３２の突出先端が上記仮想線上にほぼ位置し、上面の塵除け用突部３２間の間隔及び側周面の縦向きの塵除け用突部３２間の間隔を通水用開口３１の開口巾よりも大きくしてあるので、落ち葉が塵除け用突部３２に引っ掛かっても、雨水は引っ掛かっている部分以外の部分から通水用開口３１の開口巾よりも広い塵除け用突部３２間の空間に流れ込んで、上記開口巾の狭い通水用開口３１を通って滑らかに集水装置２内に流入することができる。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１７
【補正方法】変更
【補正の内容】
【００１７】
また、側面部及び上面に通水用開口よりも外方に突出する塵除け用突部を突出し、塵流入防止用カバーの側周面のうち軒樋の長手方向と交差する両側面に該側面の上下方向にわたる縦向きの塵除け用突起を複数突出すると共に、該側面の上下方向の略中間に該側面の巾方向にわたる横向きの塵除け用突部を突出し、上記両側面に設けた縦向きの塵除け用突部を結んだ仮想線が円弧状となり且つ上記両側面に設けた横向きの塵除け用突部の突出先端が上記仮想線上にほぼ位置し、上面の塵除け用突部間の間隔及び側周面の縦向きの塵除け用突部間の間隔を通水用開口の開口巾よりも大きくしているので、落ち葉の捕捉機能をもちながら通水性を良好にできる。